(57)【要約】【課題】  顧客の自宅地点の降水量を含む気象情報を、この顧客を含む自宅の住人に知らせることができる気象情報提供システムを提供することにある。【解決手段】  電気の供給を受ける顧客の自宅地点の降水量を通知する気象情報提供システムであって、電柱２１０に設けられ、測定した降水量を表す雨量データを送信する降水量測定装置１０と、顧客の自宅に設けられ、降水量測定装置１０から雨量データを受信して自宅内に送るスマートメータ２０と、顧客の自宅内に設けられ、スマートメータ２０からの雨量データを受け取ると、雨量データを基に降水量を知らせる表示器３０とを備え、降水量測定装置１０は顧客の自宅周辺に設置されている各電柱に設けられている測定装置の中から選択されている。【選択図】  図１
2019128679.tif 000002
【特許請求の範囲】
【請求項１】
電気の供給を受ける顧客の自宅地点の降水量を通知する気象情報提供システムであって、
電柱に設けられ、測定した降水量を表す雨量データを送信する測定装置と、
前記顧客の自宅に設けられ、前記測定装置から雨量データを受信して前記自宅内に送る通信装置と、
前記顧客の自宅内に設けられ、前記通信装置からの雨量データを受け取ると、この雨量データを基に降水量を知らせる受信装置と、
を備え、
前記測定装置は前記顧客の自宅周辺に設置されている各電柱に設けられている測定装置の中から選択されている、
ことを特徴とする気象情報提供システム。
【請求項２】
前記測定装置は、雨量データが示す降水量を基に、警報を含む通知を示す通知データを作成し、作成した通知データを雨量データと共に送信し、
前記受信装置は、前記測定装置から受信した通知データを基に警報を知らせる、
ことを特徴とする請求項１に記載の気象情報提供システム。
【請求項３】
前記通信装置は、前記顧客の自宅に供給する電気を計測する計測機能と、データの通信をする通信機能とを併せ持つスマートメータであり、
前記スマートメータは、前記通信機能により、前記測定装置から雨量データを受信して前記受信装置に送る、
ことを特徴とする請求項１または２に記載の気象情報提供システム。
【発明の詳細な説明】
【技術分野】
【０００１】
この発明は、自宅地点の降水量などの情報を住人に知らせる気象情報提供システムに関する。
【背景技術】
【０００２】
近年、異常な気象現象が多発している。例えば、強い勢力の台風が到来し、大きな被害をもたらすことがある。こうした台風による被害を予測して被害に備えるために、つぎのようなシステム（例えば、特許文献１参照。）がある。
【０００３】
このシステムによれば、配電線路の各所に降雨量計等の観測機器をあらかじめ設置する。一方、例えば事業所にはサーバを設置し、このサーバが観測機器からのデータを収集する。そして、サーバは設定された所定の地域について、降雨量計等の観測機器で実測した気象データを基にして、台風による被害予測を行う。これにより、事業所全域に対して大局的な台風による被害予測を行う場合も含めて、局所的な台風による被害予測を行う。
【先行技術文献】
【特許文献】
【０００４】
【特許文献１】特開２０１０−４９４３３号公報
【発明の概要】
【発明が解決しようとする課題】
【０００５】
しかし、先に述べたシステムには次の課題がある。異常気象としては、強い勢力の台風の到来の他にも、局地的大雨などのように短時間に大量の雨が降る場合（いわゆる「ゲリラ豪雨」）がある。最近ではゲリラ豪雨の発生により、局地的な災害が多発している。先に述べたシステムは過去の気象データと現在の気象データとを基に被害予測を行うので、このシステムでは突発的に発生するゲリラ豪雨には対処することができない。
【０００６】
今後もこうした災害は多発すると予想され、ゲリラ豪雨よる災害に対応するため、従来の注意報や警報の見直しや、報道時のアナウンス（話し方）なども分かりやすいように変更されている。しかし、注意報や警報は、一般的に大くくりにした地域毎に発令されるため、局地的に発生するゲリラ豪雨に対しては、災害情報がピンポイントで十分に対応しているとまではいかないのが状況である。
【０００７】
この発明の目的は、前記の課題を解決し、顧客の自宅地点の降水量を含む気象情報を、この顧客を含む自宅の住人に知らせることができる気象情報提供システムを提供することにある。
【課題を解決するための手段】
【０００８】
前記の課題を解決するために、請求項１の発明は、電気の供給を受ける顧客の自宅地点の降水量を通知する気象情報提供システムであって、電柱に設けられ、測定した降水量を表す雨量データを送信する測定装置と、前記顧客の自宅に設けられ、前記測定装置から雨量データを受信して前記自宅内に送る通信装置と、前記顧客の自宅内に設けられ、前記通信装置からの雨量データを受け取ると、この雨量データを基に降水量を知らせる受信装置と、を備え、前記測定装置は前記顧客の自宅周辺に設置されている各電柱に設けられている測定装置の中から選択されている、ことを特徴とする気象情報提供システムである。
【０００９】
請求項１の発明では、測定装置は測定した降水量を表す雨量データを送信する。通信装置は、測定装置から雨量データを受信して顧客の自宅内の受信装置に送る。受信装置は、通信装置からの雨量データを受け取ると、この雨量データを基に降水量を知らせる。そして、測定装置は顧客の自宅周辺に設置されている各電柱に設けられている測定装置の中から選択されている。
【００１０】
請求項２の発明は、請求項１に記載の気象情報提供システムにおいて、前記測定装置は、雨量データが示す降水量を基に、警報を含む通知を示す通知データを作成し、作成した通知データを雨量データと共に送信し、前記受信装置は、前記測定装置から受信した通知データを基に警報を知らせる、ことを特徴とする。
【００１１】
請求項３の発明は、請求項１または２に記載の気象情報提供システムにおいて、前記通信装置は、前記顧客の自宅に供給する電気を計測する計測機能と、データの通信をする通信機能とを併せ持つスマートメータであり、前記スマートメータは、前記通信機能により、前記測定装置から雨量データを受信して前記受信装置に送る、ことを特徴とする。
【発明の効果】
【００１２】
請求項１の発明によれば、測定装置が測定した降水量を顧客の自宅地点の降水量として、自宅の住人に知らせることができる。これにより、顧客の自宅に降水量の測定装置が設置されていなくても、自宅地点の降水量を自宅の住人に知らせることができる。
【００１３】
請求項２の発明によれば、受信装置が警報を含む通知を知らせるので、例えば激しい降雨に対して、顧客の自宅の住人による迅速な対応を可能にする。
【００１４】
請求項３の発明によれば、顧客の自宅に設置されている既存のスマートメータを利用するので、雨量データを受信するための通信装置を顧客の自宅に新たに設置する工事を不要にする。
【図面の簡単な説明】
【００１５】
【図１】この発明の実施の形態１による気象情報提供システムを示す構成図である。
【図２】降水量測定装置の一例を示す構成図である。
【図３】送り先テーブルの一例を示す図である。
【図４】スマートメータの一例を示す構成図である。
【図５】表示器の表示例を示す図である。
【図６】利用者テーブルの一例を示す図である。
【図７】測定装置テーブルの一例を示す図である。
【図８】雨量テーブルの一例を示す図である。
【図９】降水量測定装置の選択方法を説明する図である。
【図１０】降水量測定装置の他の選択方法を説明する図である。
【発明を実施するための形態】
【００１６】
次に、この発明の各実施の形態について、図面を用いて詳しく説明する。
【００１７】
（実施の形態１）
この実施の形態による気象情報提供システムは、電気を顧客に供給する電気事業者に使用され、電気事業者は降水量を提供するサービスを行っている。電気の供給を受ける顧客の中で、このサービスを利用しているのがサービス利用者である。
【００１８】
この実施の形態による気象情報提供システムを図１に示す。この気象情報提供システムは、降水量測定装置１０と、スマートメータ（ＳＭ）２０と、表示器３０と、事業者側装置４０とを備えている。この実施の形態では、降水量測定装置１０とスマートメータ２０と事業者側装置４０とは、互いにデータの送受信が可能なように通信ネットワーク１００に接続されている。
【００１９】
通信ネットワーク１００は、光ケーブルなどの通信回線を利用した通信網である。また、通信ネットワーク１００は、電気を送る電線を利用したＰＬＣ（Ｐｏｗｅｒ  Ｌｉｎｅ  Ｃｏｍｍｕｎｉｃａｔｉｏｎ）による通信網であってもよい。
【００２０】
降水量測定装置１０は、配電系統の電柱２１０に設置されている。降水量測定装置１０は、内部にコンピュータのような処理装置を含む装置であり、図２に示すように、雨量計１１と処理部１２と通信部１３と記憶部１４とを備えている。
【００２１】
降水量測定装置１０の雨量計１１は電柱２１０の設置点に降る雨の量であって、所定時間に降る雨の量を測る機器である。例えば、雨量計１１は１分間の雨量を測る。雨量計１１は、測定した雨量である降水量を表すデータを雨量データとし、この雨量データを処理部１２に送る。
【００２２】
降水量測定装置１０の記憶部１４は各種のデータを記憶する記憶装置である。記憶部１４は、降水量測定装置１０と他の降水量測定装置とを識別するために、降水量測定装置１０のための計器識別番号（機器ＩＤ）を記憶している。
【００２３】
記憶部１４は、雨量データの送り先を示す送信先テーブルを記憶している。この送信先テーブルの一例を図３に示す。送信先テーブルは、各送り先を示す送信先のデータから成っている。１つの送り先には、事業者側装置４０の装置識別番号と、その通信用のアドレスとが記憶されている。さらに、別の送信先には、雨量データの送り先であるスマートメータの計器識別番号と、スマートメータのＩＰアドレス等の通信用のアドレスとが記憶されている。
【００２４】
降水量測定装置１０の処理部１２は、雨量計１１から雨量データを受け取ると、この雨量データに対して次の処理を行う。処理部１２には雨量の基準量が前もって設定されている。この基準量は、現在降っている雨が例えば１時間に５０ｍｍ以上の非常に激しい雨であり、注意を喚起する状態であるかどうかを判定するための基準となる。処理部１２は、雨量計１１から受け取った雨量データが示す降水量が基準量より多いかどうかを判定する処理を行う。降水量が基準量より多いと判定すると、処理部１２は、注意報や警報を含む通知を表す通知データを雨量データに対して付加する処理を行う。
【００２５】
また、処理部１２は次のようにしてもよい。つまり、処理部１２に対して複数の基準量を設定し、降水量に応じた注意報や警報を表す通知データを作成する処理を処理部１２が行う。これにより、処理部１２は、雨が降る状態に対応した通知を出す。
【００２６】
こうした処理が終了すると、処理部１２は、雨量データの送信先を送信先テーブル（図３）から順次に読み出し、雨量データに対して自装置つまり送信元の計器識別番号を付加する。さらに、送信先が事業者側装置４０である場合には、処理部１２は、雨量データに対して送信先の装置識別番号や通信用のアドレスを付加して通信部１３に送る処理を行う。送信先がスマートメータである場合には、処理部１２は、雨量データに対して送信先の計器識別番号や通信用のアドレスを付加して通信部１３に送る処理を行う。
【００２７】
降水量測定装置１０の通信部１３は、通信ネットワーク１００を経てスマートメータ２０や事業者側装置４０と通信する装置である。通信部１３は、処理部１２から雨量データを順次に受け取ると、この雨量データに付加されている通信用のアドレスを基にして、通信ネットワーク１００を経て各雨量データを送信する。この実施の形態では、通信部１３は送信先テーブルに登録されている各スマートメータと事業者側装置４０とに宛てて、作成した雨量データを送信する。
【００２８】
スマートメータ２０は、サービスの利用者宅に設置されている電子式の電力量計であり、図４に示すように、計測部２１と処理部２２と通信部２３と記憶部２４とを備えている。
【００２９】
記憶部２４は各種のデータを記憶する記憶装置である。記憶部２４は、スマートメータ２０と他のスマートメータとを識別するために、スマートメータ２０のための計器識別番号（機器ＩＤ）を記憶している。また、記憶部２４は、事業者側装置４０の運用管理システム４２を、送信先テーブル（図３）の送信先と同じように登録している。
【００３０】
スマートメータ２０の計測部２１は、引込み線２２０を経て利用者宅に引き込まれる電気を配電盤（図示を省略）に送った電気つまり電気使用量を計測する。計測部２１は、所定時間毎に計測した電気使用量を処理部２２に送る。
【００３１】
スマートメータ２０の通信部２３は、通信ネットワーク１００を経て降水量測定装置１０や事業者側装置４０と通信する装置である。通信部２３は、処理部２２から電気使用量を受け取ると、この電気使用量に付加されている通信用のアドレスを基にして、この電気使用量を事業者側装置４０の運用管理システム４２に送信する。
【００３２】
また、通信部２３は、通信ネットワーク１００から自装置宛てに送られてきた雨量データを受信する。通信部２３は、雨量データを受信すると、処理部２２の制御によってこの雨量データを表示器３０に送る。
【００３３】
スマートメータ２０の処理部２２は各種の処理をする。処理部２２は、計測部２１から電気使用量を受け取ると、この電気使用量に対して計器識別番号や通信用のアドレスを付加する処理を行い、作成した電気使用量を通信部２３に送る。
【００３４】
また、処理部２２は、通信部２３が雨量データを受け取った場合には、この雨量データに付加されている送信先の計器識別番号を基にして、雨量データが適正であるかどうかを判断する。処理部２２は、雨量データが確かにスマートメータ２０に送られてきたものであると判断すると、通信部２３に雨量データを表示器３０に送るように指示を出す。
【００３５】
表示器３０は、利用者宅に設置されて、サービス利用者を含む利用者宅の住人に用いられる。表示器３０は、スマートメータ２０から各種データを受け取ると、このデータを基にして情報を表示する装置である。表示器３０は、スマートメータ２０から雨量データを受け取ると、この雨量データが示す降水量や、雨量テーブルに付加されている通知データが示す警報等の気象情報を表示する。表示器３０は、気象情報として例えば図５に示すように、降水量と共に警報等の通知を表示パネル３１に表示する。
【００３６】
表示器３０は、雨量データが示す雨量や、通知データが示す警報等の通知を音声に変換し、これらを音声として出力してもよい。
【００３７】
さらに、表示器３０としては、ＨＥＭＳ（Ｈｏｍｅ  Ｅｎｅｒｇｙ  Ｍａｎａｇｅｍｅｎｔ  Ｓｙｓｔｅｍ：ホーム  エネルギー  マネジメント  システム）のモニターを流用することも可能である。
【００３８】
事業者側装置４０は、電気事業者の例えば計算センターに設置され、電気事業者の顧客の管理等を行う。この実施の形態では、事業者側装置４０は気象情報の提供に関しての運用を行っている。事業者側装置４０は、先の図１に示すように、通信部４１と運用管理システム４２と管理用コンピュータ４３とを備えている。
【００３９】
事業者側装置４０の通信部４１は、運用管理システム４２および管理用コンピュータ４３と、降水量測定装置１０、スマートメータ２０およびサービス利用者の携帯端末５０との間の通信を、通信ネットワーク１００を経て可能にする装置である。
【００４０】
通信部４１はスマートメータ２０を含む各スマートメータから自装置宛てに送信されてきた電気使用量を受信すると、受信した電気使用量を運用管理システム４２に送る。同じように、通信部４１は、降水量測定装置１０を含む各降水量測定装置から自装置宛てに送信されてきた雨量データを受信する。そして、通信部４１は、雨量データに付加されている装置識別番号を基にして、受信した雨量データを運用管理システム４２に送る。
【００４１】
事業者側装置４０の管理用コンピュータ４３は、計算センターの担当者によって使用されるコンピュータである。管理用コンピュータ４３には、担当者によって各種の設定などが入力される。
【００４２】
事業者側装置４０の運用管理システム４２は、データサーバ機能、ＷＥＢサーバ機能、メールサーバ機能等を持つ。運用管理システム４２は、通信部４１を経てスマートメータ２０から電気使用量を受け取ると、この電気使用量の記録等を行うが、詳細については記載を省略する。
【００４３】
運用管理システム４２は、気象情報を提供するサービスを行うための処理を行う。また、運用管理システム４２は他の装置と識別をするための装置識別番号を記憶している。
【００４４】
運用管理システム４２は、このサービスを利用するサービス利用者の一覧を利用者テーブルに保存している。この利用者テーブルの一例を図６に示す。利用者テーブルは、各サービス利用者のデータから成っている。１つのサービス利用者のデータには、サービス利用者の名前と、サービス利用者と電気事業者との間で決められた契約番号と、サービス利用者の電子メールアドレス、サービス利用者を識別するためのＩＤ番号およびパスワードと、サービス利用者の電話番号とが記憶されている。契約番号は顧客を識別するためのデータにもなる。また、サービス利用者のデータには、サービス利用者の利用者宅に設置されているスマートメータの計器識別番号と通信用のアドレスとが記憶されている。さらに、サービス利用者のデータには、雨量データの送信元である降水量測定装置の計器識別番号が記憶されている。
【００４５】
運用管理システム４２は、各電柱に設置されている降水量測定装置の一覧を測定装置テーブルに保存している。この測定装置テーブルの一例を図７に示す。測定装置テーブルは、各降水量測定装置についてのデータから成っている。１つの降水量測定装置のデータには、降水量測定装置を識別するための計器識別番号と、降水量測定装置の通信用のアドレスが記憶されている。また、測定装置テーブルのデータには、この降水量測定装置が設置されている電柱の電柱番号が記憶されている。電柱番号は各電柱を識別するためのものである。
【００４６】
運用管理システム４２は、降水量測定装置１０を含む各降水量測定装置からの雨量データを雨量テーブルに記憶している。この雨量テーブルの一例を図８に示す。雨量テーブルは、各降水量測定装置からの雨量データを記録した測定雨量から成っている。１つの測定雨量には、降水量測定装置の契約番号が記憶されている。測定雨量には、１分前の雨量データ、２分前の雨量データのように、１分前から所定時間前までの１分毎の雨量データが記憶されている。雨量テーブルの各測定雨量は時間経過に伴って更新されていく。
【００４７】
運用管理システム４２は、各テーブルのデータを利用して雨量データの管理と気象情報の提供とを次のようにして行う。
【００４８】
先ず、運用管理システム４２は、管理用コンピュータ４３から新規のサービス利用者、例えば図１の利用者宅の顧客を登録するための指示を受け取ると、この顧客の住所や契約番号、設置されているスマートメータの計器識別番号などを契約データ（図示を省略）から調べる。契約データは電気の供給を受ける需要家についてのデータであり、契約時に電気事業者により作成されたものである。
【００４９】
この後、運用管理システム４２は、新たなサービス利用者に気象情報を送る降水量測定装置を決める。例えば利用者宅から最も近い所にある電柱を調べる。このために、例えば図９に示すように、利用者宅の周辺にある電柱２１０、２１１からの直線距離Ｌ１、Ｌ２を算出し、最短の直線距離Ｌ１の電柱２１０を選択する。これにより、利用者宅付近に設置した降水量測定装置で計測した雨の量を自宅地点の降水量としている。次に、運用管理システム４２は、この電柱２１０に設置されている降水量測定装置１０の計器識別番号を、電柱２１０の電柱番号を基に測定装置テーブル（図７）を参照して調べる。新たなサービス利用者に対応する降水量測定装置１０の計器識別番号が判明すると、運用管理システム４２は、利用者テーブル（図６）を更新する。これにより、新たなサービス利用者が登録される。
【００５０】
運用管理システム４２による降水量測定装置の選択方法には、この他に各種の方法がある。例えば図１０に示すように各電柱２１０、２１１に対して、選択地域２１０ａ、２１１ａを前もって設けておく。そして、利用者宅が位置する所が選択地域２１０ａであれば、この選択地域２１０ａに対応する電柱２１０の降水量測定装置１０を選択する。これにより、図９の場合と同様に、利用者宅付近に設置した降水量測定装置で計測した雨の量を自宅地点の降水量としている。
【００５１】
また、次のような方法もある。新たなサービス利用者については、計算センターの担当者が管理用コンピュータ４３を操作して電柱２１０を選択してもよい。
【００５２】
降水量測定装置１０の選択が終了すると、運用管理システム４２は、利用者テーブル（図６）に登録したサービス利用者のデータを基にして、送信先テーブル（図３）の新たな送信先を作成する。そして、運用管理システム４２は、該当する降水量測定装置１０の通信用のアドレスを測定装置テーブル（図７）で調べて、作成したサービス利用者のデータを降水量測定装置１０に送信する。これにより、降水量測定装置１０の送信先テーブル（図３）が更新される。
【００５３】
運用管理システム４２は、通信部４１から雨量データを受け取ると、雨量データに付加されている送信元の計器識別番号を基にして、雨量テーブル（図８）を更新する。また、運用管理システム４２は、利用者テーブルを参照し、この計器識別番号を基にして、サービス利用者の電子メールアドレスが登録されているかを調べる。電子メールアドレスが登録されていると、運用管理システム４２は、雨量データを携帯端末５０に送信する。これにより、携帯端末５０は降水量や警報等の通知を示す気象情報を表示する。
【００５４】
また、運用管理システム４２は、雨量テーブル（図８）を基に雨量データをインターネット上で閲覧可能にする。そして、サービス利用者のパーソナルコンピュータからアクセスがあり、ＩＤ番号やパスワードが入力されると、運用管理システム４２は、利用者テーブル（図６）のＩＤ番号やパスワードを参照し、これらが適正であると、雨量データの閲覧を可能にする。
【００５５】
さらに、運用管理システム４２は、気象情報を伝えるための音声通知を作成し、利用者テーブルの電話番号を基に、作成した音声通知を自動電話機能により送信してもよい。
【００５６】
以上がこの実施の形態による気象情報提供システムの構成である。次に、この気象情報提供システムの作用を説明する。電気事業者の顧客が気象情報提供のサービスを受ける場合、電気事業者がこの顧客をサービス利用者として登録する。この場合、例えば計算センターの担当者が管理用コンピュータ４３を操作して、運用管理システム４２に対してサービス利用者を追加する指示をする。また、登録の際には、運用管理システム４２は、雨量データの送信元である降水量測定装置１０を選択する。
【００５７】
サービス利用者の登録が終了し、後日、利用者宅を含む地域に雨が降り始めると、降水量測定装置１０を含む各降水量測定装置が降水量を測定する。登録されている降水量測定装置１０は、測定結果を表す雨量データに自装置の計器識別番号を付加し、送信先テーブルを基にして、雨量データを利用者宅のスマートメータ２０と事業者側装置４０とに通信ネットワーク１００を経て送信する。また、降水量が基準値を超えると、降水量測定装置１０は、通知データを雨量データに付加し、この雨量データをスマートメータ２０と事業者側装置４０とに送信する。
【００５８】
利用者宅のスマートメータ２０は自装置宛ての雨量データを受信すると、この雨量データを表示器３０に送る。利用者宅内に設置されている表示器３０は雨量データを受け取ると、この雨量データが示す降水量を表示する。これにより、表示器３０は、降水量測定装置１０が測定した降水量を、サービス利用者の自宅地点の降水量として表示する。利用者宅では、サービス利用者を含む住人が表示器３０を見ることによって、最新の気象情報を知ることができる。
【００５９】
さらに、雨量データに通知データが付加されていると、表示器３０は警報等の通知を表示する。これにより、サービス利用者を含む住人は警報等の通知の有無を知ることができる。
【００６０】
一方、事業者側装置４０では通信部４１が自装置宛ての雨量データを受信すると、この雨量データを運用管理システム４２に送る。運用管理システム４２は雨量データを受け取ると、雨量データに付加されている計器識別番号を基にして、雨量テーブルの該当する雨量データを更新する。
【００６１】
また、運用管理システム４２は、利用者テーブルを参照することで計器識別番号を基にして、サービス利用者の電子メールアドレスが登録されているかを調べる。電子メールアドレスが登録されていると、運用管理システム４２は、雨量データを携帯端末５０に送信する。これにより、携帯端末５０は雨量や警報等を表示し、利用者宅にサービス利用者が居ないときでも、現在の気象情報をサービス利用者に知らせることができる。
【００６２】
また、運用管理システム４２は、雨量テーブルを基に雨量データをインターネット上で閲覧可能にする。そして、サービス利用者のパーソナルコンピュータからアクセスがありＩＤ番号やパスワードが入力されると、運用管理システム４２は、利用者テーブルのＩＤ番号やパスワードを参照し、これらが適正であると、雨量データの閲覧を許可する。これにより、サービス利用者はパーソナルコンピュータを利用して気象情報を知ることができる。
【００６３】
さらに、運用管理システム４２は、気象情報を伝えるための音声メッセージを作成し、作成した音声メッセージを自動電話機能により送信する。これにより、利用者宅内でサービス利用者を含む住人が表示器３０の表示に気付かないときでも、音声通知により住人に知らせることができる。
【００６４】
こうして、この実施の形態によれば、利用者宅付近に降る雨の量を自宅地点の降水量として表示し、また降水量に応じた警報等の通知を表示することで、サービス利用者の自宅地点の降水量を含む気象情報を、サービス利用者を含む住人に知らせることができる。これにより、サービス利用者の自宅に降水量測定装置１０を設置しなくても、サービス利用者を含む住人に自宅地点の気象情報を知らせることができる。
【００６５】
また、この実施の形態によれば、降水量が非常に激しい場合には、警報等の通知を表示することで、サービス利用者を含む住人による迅速な対応を可能にする。
【００６６】
さらに、この実施の形態によれば、気象情報を携帯端末５０やパーソナルコンピュータを利用して知らせるので、自宅以外の所にいるサービス利用者に対して自宅地点の気象情報を知らせることができる。
【００６７】
（実施の形態２）
実施の形態１による気象情報提供システムでは、降水量測定装置１０が雨量データが示す雨量が基準量より多いかどうかを判定する処理をする。雨量が基準量より多いと判定すると、降水量測定装置１０は警報等の通知を表す通知データを雨量データに対して付加する処理をする。そして、降水量測定装置１０は、あらかじめ記憶している送信先テーブルを基にして、作成した雨量データをスマートメータ２０や事業者側装置４０に送信する。
【００６８】
これに対してこの実施の形態では、降水量測定装置１０は次のようにしている。なお、この実施の形態では、先に説明した実施の形態１と同一もしくは同一と見なされる構成要素には、それと同じ参照符号を付けて、その説明を省略する。
【００６９】
この実施の形態による気象情報提供システムでは、降水量測定装置１０は雨量データを事業者側装置４０だけに送信する。
【００７０】
事業者側装置４０では、送信先テーブル（図３）を運用管理システム４２が前もって記憶している。事業者側装置４０は自装置宛ての雨量データを受信すると、運用管理システム４２に送る。運用管理システム４２は、雨量データが示す降水量が基準量より多いかどうかを判定する処理を行う。降水量が基準量より多いと判定すると、運用管理システム４２は、警報等の通知を表す通知データを雨量データに対して付ける処理を行う。
【００７１】
そして、運用管理システム４２は、雨量データの送信先を送信先テーブルから順次に読み出す。次に、運用管理システム４２は、雨量データに対して送信先の計器識別番号や通信用のアドレスを付加してスマートメータ２０を含む登録されているスマートメータに送信する処理を行う。
【００７２】
この実施の形態によれば、降水量測定装置１０が雨量データに対して行う処理を省くことができるので、降水量測定装置１０の処理を軽減することを可能にする。また、雨量データを事業者側装置４０の運用管理システム４２で一括して管理することを可能にする。
【００７３】
以上、この発明の実施の形態を詳述してきたが、具体的な構成はこの実施の形態に限られるものではなく、この発明の要旨を逸脱しない範囲の設計の変更等があっても、この発明に含まれる。例えば、以上の実施の形態では測定対象が降水量であったが、これに限定されることは無く、測定対象が風速などであってもよい。
【符号の説明】
【００７４】
１０  降水量測定装置（測定装置）
１１  雨量計
１２  処理部
１３  通信部
１４  記憶部
２０  スマートメータ（通信装置）
２１  計測部
２２  処理部
２３  通信部
３０  表示器（受信装置）
４０  時業者側装置
４１  通信部
４２  運用管理システム
４３  管理用コンピュータ
５０  携帯端末
１００  通信ネットワーク
【図１】
2019128679.tif 000003
【図２】
2019128679.tif 000004
【図３】
2019128679.tif 000005
【図４】
2019128679.tif 000006
【図５】
2019128679.tif 000007
【図６】
2019128679.tif 000008
【図７】
2019128679.tif 000009
【図８】
2019128679.tif 000010
【図９】
2019128679.tif 000011
【図１０】
2019128679.tif 000012